(57)【要約】【課題】利便性を向上できる電気掃除機用吸込口体及び電気掃除機を提供する。【解決手段】床面に対峙する吸込口１３を底面に開口する筐体１１と、床面に同時に接するローラー２１、２２と起毛布１５とを保持するとともに筐体１１に対して着脱自在に形成されるローラーユニット３０とを備えた。【選択図】図３
2011055908.tif 000002
【特許請求の範囲】
【請求項１】
床面に対峙する吸込口を底面に開口する筐体と、床面に同時に接するローラーと起毛布とを保持するとともに前記筐体に対して着脱自在に形成されるローラーユニットとを備えたことを特徴とする電気掃除機用吸込口体。
【請求項２】
前記吸込口に配される回転ブラシと、前記回転ブラシを駆動するモータと、前記モータの駆動力を前記回転ブラシに伝達する伝達部とを備え、前記ローラーユニットが前記吸込口の側方に配置されて前記伝達部を覆い、前記ローラーユニットの脱着によって前記回転ブラシを着脱できることを特徴とする請求項１に記載の電気掃除機用吸込口体。
【請求項３】
前記ローラーは硬質部材上に積層される軟質部材の周面に繊維状部材を植毛して形成されることを特徴とする請求項１または請求項２に記載の電気掃除機用吸込口体。
【請求項４】
請求項１〜請求項３のいずれかに記載の電気掃除機用吸込口体を備えたことを特徴とする電気掃除機。
【発明の詳細な説明】
【技術分野】
【０００１】
本発明は、床面を転動するローラー及び床面に摺動する起毛布を有した電気掃除機用吸込口体及びそれを用いた電気掃除機に関する。
【背景技術】
【０００２】
従来の電気掃除機用吸込口体は特許文献１に開示されている。この電気掃除機用吸込口体は床面に対向する吸込口を筐体の底面前部に開口し、吸込口内には回転ブラシが配される。筐体の底面には前部の吸込口の両側方に起毛布が貼着される。起毛布は樹脂製の基体上に繊維状の樹脂を植毛して形成される。また、筐体の後部には床面を転動するローラーが軸支される。
【０００３】
ローラー及び起毛布が床面に接地することにより、吸込口と床面とを所定距離だけ離して電気掃除機用吸込口体の姿勢が保持される。ローラーが床面を転動すると同時に起毛布が床面と摺動して電気掃除機用吸込口体が前後に移動し、吸込口から床面の塵埃を吸引する。起毛布によって筐体と床面との摺動による床面の傷を防止することができる。
【先行技術文献】
【特許文献】
【０００４】
【特許文献１】特開２００８−４８９０１号公報（第３頁−第６頁、第２図）
【発明の概要】
【発明が解決しようとする課題】
【０００５】
しかしながら、上記従来の電気掃除機用吸込口体によると、長期間の使用によってローラー及び起毛布の表面が摩耗すると床面を傷つけるためローラー及び起毛布が交換される。この時、例えば起毛布を摩耗によって交換した際に、ローラーも摩耗が進行して交換時期に近づいているため直ぐに交換が必要になる場合がある。このため、頻繁に交換作業が必要となり、利便性が悪い問題があった。
【０００６】
本発明は、利便性を向上できる電気掃除機用吸込口体及びそれを用いた電気掃除機を提供することを目的とする。
【課題を解決するための手段】
【０００７】
上記目的を達成するために本発明の電気掃除機用吸込口体は、床面に対峙する吸込口を底面に開口する筐体と、床面に同時に接するローラーと起毛布とを保持するとともに前記筐体に対して着脱自在に形成されるローラーユニットとを備えたことを特徴としている。
【０００８】
この構成によると、筐体にはローラー及び起毛布を有したローラーユニットが装着され、ローラーが床面を転動するとともに起毛布が床面と摺動して電気掃除機用吸込口体が移動する。例えば、起毛布が摩耗して交換時期に到達すると、ローラーユニットを脱着して新しいローラーユニットが装着される。これにより、交換時期に近づいたローラーも同時に交換され、ローラー及び起毛布の交換頻度が低減される。
【０００９】
また本発明は、上記構成の電気掃除機用吸込口体において、前記吸込口に配される回転ブラシと、前記回転ブラシを駆動するモータと、前記モータの駆動力を前記回転ブラシに伝達する伝達部とを備え、前記ローラーユニットが前記吸込口の側方に配置されて前記伝達部を覆い、前記ローラーユニットの脱着によって前記回転ブラシを着脱できることを特徴としている。
【００１０】
この構成によると、吸込口に配される回転ブラシが両端で支持され、モータの駆動によって伝達部を介して回転ブラシが回転する。回転ブラシの回転によってカーペット等に埋没する塵埃が掻き上げられる。ローラーユニットは伝達部を覆い、ローラーユニットの取り外しによって吸込口から回転ブラシを着脱して回転ブラシの清掃等が行われる。
【００１１】
また本発明は、上記構成の電気掃除機用吸込口体において、前記ローラーは硬質部材上に積層される軟質部材の周面に繊維状部材を植毛して形成されることを特徴としている。この構成によると、軟質部材によってローラーが床面に追随し、ローラーの表面に配された繊維状部材がローラーの転動によって摩耗する。
【００１２】
また本発明の電気掃除機は、上記各構成の電気掃除機用吸込口体を備えたことを特徴としている。
【発明の効果】
【００１３】
本発明によると、吸込口を有する筐体に対して着脱自在のローラーユニットによって床面に同時に接するローラー及び起毛布を保持したので、ローラー及び起毛布の一方が摩耗するとローラーユニットが交換される。このため、交換時期に近づいたローラー及び起毛布の他方も同時に交換され、ローラー及び起毛布の交換頻度を低減して利便性を向上することができる。
【図面の簡単な説明】
【００１４】
【図１】本発明の実施形態の電気掃除機を示す側面断面図
【図２】本発明の実施形態の電気掃除機の吸込口体の内部を示す上面図
【図３】本発明の実施形態の電気掃除機の吸込口体を示す底面図
【図４】本発明の実施形態の電気掃除機の吸込口体のローラーユニットを示す底面図
【図５】本発明の実施形態の電気掃除機の吸込口体のローラーユニットを示す底面図
【発明を実施するための形態】
【００１５】
以下に本発明の実施形態を図面を参照して説明する。図１は一実施形態の電気掃除機の側面断面図を示している。電気掃除機１は電動送風機３を内装する本体部２を有し、本体部２には可撓性の接続ホース４が取り付けられる。接続ホース４の端部には延長管６が接続され、延長管６との接続部から分岐して使用者が把持する把持部５が設けられる。延長管６の先端には吸込口体１０が接続される。
【００１６】
図２、図３は吸込口体１０の内部の上面図及び底面図を示している。吸込口体１０は樹脂成形品から成る筐体１１により覆われる。筐体１１は床面に対峙する吸込口１３を底面に開口した吸込部１１ａと、吸込部１１ａの中央部から後方に延びる延設部１１ｂとを有して平面視略Ｔ字状に形成される。
【００１７】
延設部１１ｂの上部には吸込口１３に連通して延長管６が接続される管状のパイプ部１２が設けられる。パイプ部１２は円筒面に形成された先端部１２ａ（図１参照）が筐体１１に設けた円筒面から成る支持部１１ｄ（図１参照）により支持される。先端部１２ａが支持部１１ｄの内面に摺動してパイプ部１２が筐体１１に対して前後方向に傾倒自在になってる。
【００１８】
吸込口１３内には床面に接して回転する回転ブラシ１９が設けられる。回転ブラシ１９は筐体１１に設けた支持部１９ｅにより両端を軸支される。回転ブラシ１９の一端にはプーリー１９ｃが設けられ、プーリー１９ｃがベルト１９ｂを介して吸込部１１ａの後部に配されたモータ１９ａに連結される。ベルト１９ｂ及びプーリー１９ｃはモータ１９ａの駆動力を伝達する伝達部１９ｄを構成し、モータ１９ａの駆動によって伝達部１９ｄを介して回転ブラシ１９が回転する。
【００１９】
筐体１１の底面の両側部には着脱自在のローラーユニット３１、３２が設けられる。図４、図５はローラーユニット３１、３２をそれぞれ示す底面図である。ローラーユニット３１は前部に設けた係合爪（不図示）が筐体１１に係合し、後部に設けたネジ３３によりネジ止めされる。同様に、ローラーユニット３２は前部に設けた係合爪（不図示）が筐体１１に係合し、後部に設けたネジ３４によりネジ止めされる。
【００２０】
一方のローラーユニット３１は伝達部１９ｆを覆い、ローラーユニット３１を取り外すことにより回転ブラシ１９を引き出して取り出すことができる。これにより、回転ブラシ１９の清掃等を行うことができる。ローラーユニット３１を簡単に着脱できるように、ローラーユニット３１を固定するネジ３３はコインにより回転可能に形成されている。
【００２１】
ローラーユニット３１、３２の前部には起毛布１５が貼着される。ローラーユニット３１、３２の底面前端は後方が下がる傾斜面に形成され、起毛布１５は床面に平行な位置から傾斜面まで延設される。起毛布１５はナイロン等の樹脂製の基体上にナイロンやフッ素樹脂等の耐摩耗性の高い樹脂から成る繊維状部材を植毛して形成される。繊維状部材によって起毛布１５が床面と摺動した際の床面の傷を防止することができる。
【００２２】
起毛布１５の後方には床面を転動するローラー２１、２２が軸支される。起毛布１５とローラー２１、２２との間には側方を開放して吸込口１３の後部側方に連通する吸気溝１４が凹設される。吸気溝１４を介して筐体１１の側方から塵埃を吸引することができる。また、ローラー２１、２２の前部は吸気溝１４内に突出して配される。
【００２３】
図３において、筐体１１の延設部１１ｂの後端にはローラー２３が軸支される。また、吸込部１１ａの後部には左右方向の一方に偏って上下動可能なローラー２４が設けられる。ローラー２４の上下動は検知スイッチ（不図示）により検知される。検知スイッチの検知によってローラー２４が上昇すると回転ブラシ１９が駆動可能になり、ローラー２４が下降すると回転ブラシ１９が停止される。
【００２４】
ローラー２１〜２４は筐体１１に軸支されるポリアセタール等の硬質部材上にエラストマー樹脂がインサート成形される。エラストマー樹脂の弾性によってローラー２１〜２４を床面に追随させることができる。エラストマー樹脂上には静電気による吸着や接着剤による接着によってナイロンやフッ素樹脂等の耐摩耗性の高い樹脂から成る繊維状部材が植毛される。繊維状部材によってローラー２１〜２４が床面と摺動した際の床面の傷を防止することができる。
【００２５】
上記構成の電気掃除機１において、使用者が把持部５を把持して延長管６を押したり引いたりすると、ローラー２１〜２４が床面を転動すると同時に起毛布１５が床面と摺動して吸込口体１０が床面上を移動する。
【００２６】
電動送風機３の駆動によって吸込口１３から床面の塵埃が吸い込まれるとともに、吸気溝１４を介して吸込口体１０の側方の塵埃が吸い込まれて吸込口１３に導かれる。また、回転ブラシ１９によってカーペット等に埋没する塵埃が掻き上げられて吸込口１３から吸い込まれる。吸込口１３から吸い込まれた塵埃はパイプ部１２から流出し、延長管６及び接続ホース４を介して本体部２内に集塵される。
【００２７】
また、床面に段差があると、起毛布１５が段差に摺動して乗り上げて吸込口体１０の前部が持ち上げられる。その後、ローラー２１〜２４が段差を乗り上げる。この時、起毛布１５はローラーユニット３１、３２の前端の傾斜面に配されるため段差との衝突による傷を防止し、簡単に段差を乗り上げることができる。また、吸気溝１４内にローラー２１、２２が突出して配されるため、吸気溝１４と段差との衝突を回避して吸込口体１０が容易に段差を乗り上げることができる。
【００２８】
電気掃除機１の使用によって起毛布１５の繊維状部材が摩耗して基体が露出した場合やローラー２１、２２の繊維状部材が摩耗して軟質部材が露出した場合にローラーユニット３１、３２が交換される。この時、ネジ３３、３４を外してローラーユニット３１、３２を使用者によって容易に交換することができる。
【００２９】
本実施形態によると、吸込口１３を有する筐体１１に対して着脱自在のローラーユニット３１、３２によって床面に同時に接するローラー２１、２２及び起毛布１５を保持している。これにより、ローラーユニット３１はローラー２１及び起毛布１５の一方が摩耗すると交換され、ローラーユニット３２はローラー２２及び起毛布１５の一方が摩耗すると交換される。このため、交換時期に近づいたローラー２１、２２及び起毛布１５の他方も同時に交換され、ローラー２１、２２及び起毛布１５の交換頻度を低減して電気掃除機１の利便性を向上することができる。
【００３０】
また、一方のローラーユニット３１が回転ブラシ１９の伝達部１９ｄを覆い、ローラーユニット３１の脱着によって回転ブラシ１９を着脱できるので、容易に回転ブラシ１９の清掃等を行うことができる。
【００３１】
また、ローラー２１、２２は硬質部材上に積層される軟質部材の周面に繊維状部材を植毛して形成されるので、起毛布１５と同様の繊維状部材によって床面の傷付きを防止できる。また、ローラー２１、２２が起毛布１５と同様に摩耗するため同じ時期に交換が必要となり、ローラーユニット３１、３２によって起毛布１５と同時に交換する効果が大きい。
【産業上の利用可能性】
【００３２】
本発明によると、床面上を移動する吸込口体を有した電気掃除機に利用することができる。
【符号の説明】
【００３３】
１    電気掃除機
２    本体部
３    電動送風機
４    接続ホース
５    把持部
６    延長管
１０    吸込口体
１１    筐体
１１ａ  吸込部
１１ｂ  延設部
１１ｄ  支持部
１２    パイプ部
１３    吸込口
１４    吸気溝
１５    起毛布
１９    回転ブラシ
１９ａ  モータ
１９ｄ  伝達部
２１、２２、２３、２４  ローラー
３１、３２  ローラーユニット
３３、３４  ネジ
【図１】
2011055908.tif 000003
【図２】
2011055908.tif 000004
【図３】
2011055908.tif 000005
【図４】
2011055908.tif 000006
【図５】
2011055908.tif 000007